(57)【要約】【課題】不揮発性記憶部を備えた電気掃除機において、不揮発性記憶部に記憶されているデータの変更を容易に行うことが可能な電気掃除機を提供することである。【解決手段】回路基板５０には、不揮発性記憶部に記憶されているデータを変更するために電気掃除機の外部との間でデータの送受信が可能な接触部として、データ送受信部の一部を構成する光通信部２８ａまたはコネクタ２８ａが組み込まれている。制御回路部とデータ送受信部と不揮発性記憶部とが搭載された回路基板５０は、上部構造体１００と下部構造体１０１とから構成された外側構造体内に設置されている。【選択図】        図３
2007054330.tif 000002
【特許請求の範囲】
【請求項１】
不揮発性記憶部と、
この不揮発性記憶部に記憶されているデータを変更するために電気掃除機の外部との間でデータの送受信が可能な接触部とを備えた、電気掃除機。
【請求項２】
前記不揮発性記憶部と前記接触部とを収容する外側構造体を備え、この外側構造体の一部を取り外すことにより、前記接触部は電気掃除機の外部との間でデータの送受信が可能である、請求項１に記載の電気掃除機。
【請求項３】
前記不揮発性記憶部と前記接触部とを収容する外側構造体を備え、この外側構造体の一部は光を透過する材料で構成されている、請求項１に記載の電気掃除機。
【請求項４】
前記不揮発性記憶部と前記接触部とを収容する外側構造体を備え、この外側構造体の一部には穴が設けられている、請求項１に記載の電気掃除機。
【請求項５】
前記接触部は、前記穴を通じて電気掃除機の外部との間でデータの送受信が可能な接触部である、請求項４に記載の電気掃除機。
【請求項６】
前記穴を塞ぐビスを備える、請求項５に記載の電気掃除機。
【請求項７】
前記接触部は、光通信によりデータの送受信が可能な接触部である、請求項１から請求項６までのいずれか１項に記載の電気掃除機。
【請求項８】
前記接触部は、外部のコネクタとの接触によりデータの送受信が可能な接触部である、請求項１から請求項６までのいずれか１項に記載の電気掃除機。
【請求項９】
前記データの送受信が終了したことを報知する報知部を備える、請求項１から請求項８までのいずれか１項に記載の電気掃除機。
【発明の詳細な説明】
【技術分野】
【０００１】
この発明は、一般的には電気掃除機に関し、特定的には不揮発性記憶部を備えた電気掃除機に関する。
【背景技術】
【０００２】
従来から、不揮発性記憶部を用いた電気掃除機の制御は提案されている。たとえば、特開２０００−３３０６２号公報（特許文献１）には、不揮発性メモリ内のデータに基づいて電動送風機への供給電力を制御するようにした電気掃除機が記載されている。
【特許文献１】特開２０００−３３０６２号公報
【発明の開示】
【発明が解決しようとする課題】
【０００３】
上記の公報に記載された電気掃除機では、不揮発性メモリにデータを記憶させるために、マイクロコンピュータに設定手段が接続されている。しかしながら、従来の電気掃除機の構成では、不揮発性メモリ内のデータを変更するためには回路基板に直接コンタクトしてデータの書き換えを行う必要がある。したがって、手間がかかるという問題があった。
【０００４】
そこで、この発明の目的は、不揮発性記憶部を備えた電気掃除機において、不揮発性記憶部に記憶されているデータの変更を容易に行うことが可能な電気掃除機を提供することである。
【課題を解決するための手段】
【０００５】
この発明に従った電気掃除機は、不揮発性記憶部と、この不揮発性記憶部に記憶されているデータを変更するために電気掃除機の外部との間でデータの送受信が可能な接触部とを備える。
【０００６】
この発明の電気掃除機においては、接触部を通じて不揮発性記憶部と外部との間でデータの送受信が可能であるので、回路基板に直接コンタクトする必要がない。このため、データの変更を容易に行うことができる。
【０００７】
この発明の電気掃除機は、不揮発性記憶部と接触部とを収容する外側構造体を備え、この外側構造体の一部を取り外すことにより、接触部は電気掃除機の外部との間でデータの送受信が可能であるのが好ましい。
【０００８】
この場合、接触部を通じて不揮発性記憶部と外部との間でデータを送受信するためには、外側構造体の一部を取り外すだけでよい。このため、データの変更を容易に行うことができる。
【０００９】
また、この発明の電気掃除機は、不揮発性記憶部と接触部とを収容する外側構造体を備え、この外側構造体の一部は光を透過する材料で構成されているのが好ましい。
【００１０】
この場合、接触部を通じて不揮発性記憶部と外部との間でデータの送受信が光通信によって可能であるので、外側構造体を分解する必要がない。このため、データの変更を容易に行うことができる。
【００１１】
さらに、この発明の電気掃除機は、不揮発性記憶部と接触部とを収容する外側構造体を備え、この外側構造体の一部には穴が設けられているのが好ましい。
【００１２】
この場合、穴を介して光通信またはコンタクトピン等によって、接触部を通じて不揮発性記憶部と外部との間でデータの送受信が可能であるので、外側構造体を分解する必要がない。このため、データの変更を容易に行うことができる。
【００１３】
また、この場合、接触部は、上記の穴を通じて電気掃除機の外部との間でデータの送受信が可能な接触部である。
【００１４】
さらに、この場合、この発明の電気掃除機は、穴を塞ぐビスを備えるのが好ましい。穴を介して光通信またはコンタクトピン等によって不揮発性記憶部と外部との間でデータの送受信を行わないときには穴を塞ぐことにより、外部からの水等の浸入を防ぐことができる。
【００１５】
なお、この発明の電気掃除機においては、接触部は、光通信によりデータの送受信が可能な接触部であるのが好ましい。
【００１６】
また、この発明の電気掃除機においては、接触部は、外部のコネクタとの接触によりデータの送受信が可能な接触部であるのが好ましい。
【００１７】
さらに、この発明の電気掃除機は、データの送受信が終了したことを報知する報知部を備えるのが好ましい。
【００１８】
この場合、不揮発性記憶部と外部との間でデータの送受信が終了したことが判明し、確実にデータの送受信を行うことができる。
【発明の効果】
【００１９】
以上のように、この発明によれば、不揮発性記憶部を備えた電気掃除機において、不揮発性記憶部に記憶されているデータの変更を容易に行うことができる。
【発明を実施するための最良の形態】
【００２０】
以下、本発明の実施形態について図面に基づいて説明する。
【００２１】
図１は、この発明の一つの実施の形態に従った電気掃除機の全体を示す斜視図である。
【００２２】
図１に示すように、電気掃除機は、電気掃除機本体１と、電気掃除機本体１に一方端部が着脱自在に接続されたホース体２と、ホース体２の他方端部に設けられた手元ハンドル部３と、手元ハンドル部３に着脱自在に接続された延長管４と、延長管４を介して着脱自在に接続された吸込口体５とから構成されている。
【００２３】
電気掃除機本体１は、外側構造体を備え、この外側構造体の内部に電動送風機と制御回路部とを収容している。電動送風機は、手元ハンドル部３に設けられた手元スイッチ部６の操作によって制御回路部を介してＯＮ‐ＯＦＦ（あるいは強、弱、停止等）の制御を受ける。吸込口体５では、モーターによってブラシ（図示せず）が正逆の回転をするように制御される。吸込口体５から吸引されたごみは、延長管４とホース体２を介して電気掃除機本体１に集塵される。
【００２４】
図２は、この発明の一つの実施の形態に従った電気掃除機の制御部の概略的な構成を示すブロック図である。
【００２５】
図２に示すように、本体制御部としての制御回路部２０は、手元スイッチ部６からの入力に応じて電動送風機２１の制御を行うとともに、各種のセンサー部からの入力処理、表示部等の制御を行う。駆動回路及び電流センサー部２２は、制御回路部２０の指令に従って電動送風機２１を駆動するとともに、電動送風機２１に流れる電流を検出して制御回路部２０へ入力する。温度センサー部２３は、電動送風機２１の温度、または、電動送風機２１からの排気等の温度を検出して制御回路部２０へ入力する。電源部２５は、制御回路部２０等へ電源を供給する。表示部２６は、運転状態または異常時の表示等を行う。不揮発性記憶部２７は、各種のデータを制御回路部２０の指令に応じて記憶する。
【００２６】
データ送受信部２８は、不揮発性記憶部２７に記憶されているデータを読み出し、または、不揮発性記憶部２７にデータを書き込むための入出力部であり、外部からの指令により不揮発性記憶部２７のデータを読み出し、制御回路部２０を介して外部へ出力する。
【００２７】
図２に示すように、本発明の電気掃除機は不揮発性記憶部２７のデータに基づいて電動送風機２１を最適に制御するとともに、各種データを不揮発性記憶部２７に入力および不揮発性記憶部２７に出力する手段としてデータ送受信部２８を有する。通常は手元スイッチ部６からの信号によって駆動回路及び電流センサー部２２を介して電動送風機２１を制御する。
【００２８】
しかし、機種の違い等により制御データを変更する必要があるため、不揮発性記憶部２７に記憶されているデータの変更はよく行われる。
【００２９】
そこで、データ送受信部２８は、不揮発性記憶部２７に記憶されているデータを変更するために電気掃除機の外部との間でデータの送受信が可能な接触部を含む。図２に示される外部の送受信部２９は、電気掃除機本体の外側に設けられ、電気掃除機本体の外から、データ送受信部２８の接触部を通じて、不揮発性記憶部２７とデータの送受信を行うためのものである。
【００３０】
図３は、本発明の一つの実施の形態に従った電気掃除機において、不揮発性記憶部のデータを変更するための構成例１を示す模式的な断面図である。
【００３１】
図３に示す回路基板５０には、図２に示す制御回路部２０とデータ送受信部２８と不揮発性記憶部２７とが搭載されている。また、回路基板５０には、不揮発性記憶部２７に記憶されているデータを変更するために電気掃除機の外部との間でデータの送受信が可能な接触部として、データ送受信部２８の一部を構成する光通信部２８ａまたはコネクタ２８ａが組み込まれている。制御回路部２０とデータ送受信部２８と不揮発性記憶部２７とが搭載された回路基板５０は、上部構造体１００と下部構造体１０１とから構成された外側構造体内に設置されている。
【００３２】
図４は、図３に示される構成例１において上部構造体１００を取り外してデータの送受信を行う状態を示す模式的な断面図である。
【００３３】
図３と図４に示すように、外側構造体の一部として上部構造体１００を取り外すだけで回路基板５０上の光通信部２８ａが露出する。このため、外部の送受信部２９ａと光通信部２８ａとの間で光通信Ｐによって容易に非接触でデータの送受信を行うことができる。また、同様に、回路基板５０上のコネクタ２８ａに外部の送受信部２９ｂのコネクタピン１０４を挿入して接触させることにより不揮発性記憶部２７とデータの送受信を行うことができる。この発明の電気掃除機においては、光通信部またはコネクタ２８ａを通じて不揮発性記憶部２７と外部との間でデータの送受信が可能であるので、回路基板５０に直接コンタクトする必要がない。このため、データの変更を容易に行うことができる。また、光通信部またはコネクタ２８ａを通じて不揮発性記憶部２７と外部との間でデータを送受信するためには、外側構造体の一部を取り外すだけでよい。このため、データの変更を容易に行うことができる。
【００３４】
図５は、本発明の一つの実施の形態に従った電気掃除機において、不揮発性記憶部のデータを変更するための構成例２を示す模式的な断面図である。
【００３５】
図５に示すように、外側構造体の一部として下部構造体１０１の側壁部の一部が光を透過する材料１０３で構成されている。または、外側構造体の一部として下部構造体１０１の側壁部に光を通過させるための穴１０３が設けられている。１０３で示す部分は、回路基板５０上の光通信部２８ａと対向するように配置されている。１０３で示す部分が穴で構成される場合には、通常はビス（ネジ）１００ａで塞がれていてもよい。その他の構成は、図３に示される構成と同様である。
【００３６】
図６は、図５に示される構成例２においてデータの送受信を行う状態を示す模式的な断面図である。
【００３７】
図６に示すように、光を透過する材料１０３で構成されている下部構造体１０１の側壁部の一部、または穴１０３を通じて光通信によって外部の送受信部２９ａと光通信部２８ａとの間で光通信Ｐによって容易に非接触でデータの送受信を行うことができる。この場合、光通信部２８ａを通じて不揮発性記憶部２７と外部との間でデータの送受信が光通信によって可能であるので、外側構造体を分解する必要がない。このため、データの変更を容易に行うことができる。
【００３８】
あるいは、穴１０３を通じてコンタクトピン等によって外部の送受信部２９ａとコネクタ２８ａとの間で容易に接触でデータの送受信を行うこともできる。
【００３９】
穴１０３を介して光通信またはコンタクトピン等によって、光通信部またはコネクタ２８ａを通じて不揮発性記憶部２７と外部との間でデータの送受信が可能であるので、外側構造体を分解する必要がない。このため、データの変更を容易に行うことができる。
【００４０】
１０３で示す部分が穴で構成される場合には、穴を介して光通信またはコンタクトピン等によって光通信部またはコネクタ２８ａと外部との間でデータの送受信を行わないときには穴を塞ぐことにより、外部からの水等の浸入を防ぐことができる。
【００４１】
図７は、本発明の一つの実施の形態に従った電気掃除機において、不揮発性記憶部のデータを変更するための構成例３を示す模式的な断面図である。
【００４２】
図７に示す回路基板５０には、図２に示す制御回路部２０とデータ送受信部２８と不揮発性記憶部２７とが搭載されている。また、回路基板５０には、不揮発性記憶部２７に記憶されているデータを変更するために電気掃除機の外部との間でデータの送受信が可能な接触部として、データ送受信部２８の一部を構成する回路パターンの端子部２８ｂ（図示されている例では複数個）が組み込まれている。制御回路部２０とデータ送受信部２８と不揮発性記憶部２７とが搭載された回路基板５０は、上部構造体１００と下部構造体１０１とから構成された外側構造体内に設置されている。外側構造体の一部として下部構造体１０１の底壁部の一部１０１ａが取り外し可能に構成されている。
【００４３】
図７に示すように外側構造体の一部として下部構造体１０１の底壁部の一部１０１ａを取り外すだけで回路基板５０上の回路パターンの端子部２８ｂが露出する。このため、回路基板５０上の回路パターンの端子部２８ｂに外部の送受信部２９ｂのコネクタピン１０４を接触させることにより不揮発性記憶部２７とデータの送受信を行うことができる。
【００４４】
図８は、本発明の一つの実施の形態に従った電気掃除機において、不揮発性記憶部のデータを変更するための構成例４を示す模式的な断面図である。
【００４５】
図８に示すように、外側構造体の一部として下部構造体１０１の底壁部の一部には、外部の送受信部２９ｂのコネクタピン１０４を通過させるための穴１０１ａが設けられている。穴１０１ａは、回路基板５０上の回路パターンの端子部２８ｂと対向するように配置されている。その他の構成は、図７に示される構成と同様である。
【００４６】
図８に示すように外側構造体の一部として下部構造体１０１の底壁部の穴１０１ａを通じて、回路基板５０上の回路パターンの端子部２８ｂに外部の送受信部２９ｂのコネクタピン１０４を接触させることにより不揮発性記憶部２７とデータの送受信を行うことができる。
【００４７】
なお、図２に示すように、この発明の電気掃除機は、データの送受信が終了したことを報知する報知部としてブザー部３０を備えるのが好ましい。
【００４８】
この場合、不揮発性記憶部と外部との間でデータの送受信が終了したことが判明し、確実にデータの送受信を行うことができる。図示しないが、制御回路部２０または外部の送受信部２９にデータの送受信が終了したときにブザー等で報知する手段を備えていてもよい。
【００４９】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００５０】
【図１】この発明の一つの実施の形態に従った電気掃除機の全体を示す斜視図である。
【図２】この発明の一つの実施の形態に従った電気掃除機の制御部の概略的な構成を示すブロック図である。
【図３】本発明の一つの実施の形態に従った電気掃除機において、不揮発性記憶部のデータを変更するための構成例１を示す模式的な断面図である。
【図４】図３に示される構成例１において上部構造体１００を取り外してデータの送受信を行う状態を示す模式的な断面図である。
【図５】本発明の一つの実施の形態に従った電気掃除機において、不揮発性記憶部のデータを変更するための構成例２を示す模式的な断面図である。
【図６】図５に示される構成例２においてデータの送受信を行う状態を示す模式的な断面図である。
【図７】本発明の一つの実施の形態に従った電気掃除機において、不揮発性記憶部のデータを変更するための構成例３を示す模式的な断面図である。
【図８】本発明の一つの実施の形態に従った電気掃除機において、不揮発性記憶部のデータを変更するための構成例４を示す模式的な断面図である。
【符号の説明】
【００５１】
１：電気掃除機本体、２０：制御回路部、２７：不揮発性記憶部、２８：データ送受信部、２８ａ：光通信部またはコネクタ、２８ｂ：回路パターンの端子部、２９，２９ａ，２９ｂ：外部の送受信部、３０：ブザー部、５０：回路基板、１００：上部構造体、１００ａ：ビス、１０１：下部構造体、１０１ａ：底壁部の一部または穴、１０３：光を透過する材料または穴、１０４：コネクタピン。
【図１】
2007054330.tif 000003
【図２】
2007054330.tif 000004
【図３】
2007054330.tif 000005
【図４】
2007054330.tif 000006
【図５】
2007054330.tif 000007
【図６】
2007054330.tif 000008
【図７】
2007054330.tif 000009
【図８】
2007054330.tif 000010